(57)【要約】【課題】物品同士を互いに着脱可能に連結して、互いに締め付け可能にするファスナー装置の提供。【解決手段】ファスナー装置１は第１部位２および第２部位３を備える。第１部位２及び第２部位３は、閉方向Ｘに取付け可能で、閉位置で互いに保持され、かつ、装置１を開くように互いに切離し可能である。第２部位３は、第１係合手段３４５を有する作動エレメント（E）３４、および作動E３４に設置された巻回エレメント（E）３５を含む。巻回E３５は第２係合手段３５５を有し、かつ、引張エレメント４を巻き取るように巻取方向Ｖに回転可能である。第１手段３４５および第２手段３５５は、解除位置では巻回E３５を作動E３４に対して回転可能に互いに係合しておらず、かつ、係合位置では作動E３４を介して巻回E３５を回転可能に互いに係合可能である。第１部位２は第１歯部手段２５を含み、第２部位３は第２歯部手段３５１を含む。第１手段２５および第２手段３５１は、装置１の閉位置で第１部位２と第２部位３とが方向Ｖに沿って互いに形状係合状態で保持されることを特徴とする。【選択図】図２Ａ
2021502832.tif 000002
【特許請求の範囲】
【請求項１】
ファスナー装置（１）であって、
閉方向（Ｘ）に沿って互いに取り付けられることが可能で、閉位置にて互いに保持されて、かつ、当該ファスナー装置（１）を開くように互いに切離し可能である、第１のファスナー部位（２）及び第２のファスナー部位（３）、
を備える、ファスナー装置（１）において、
前記第２のファスナー部位（３）が、第１の係合手段（３４５）を有する作動エレメント（３４）、および当該作動エレメント（３４）に設置された巻回しエレメント（３５）を含み、当該巻回しエレメント（３５）は、第２の係合手段（３５５）を有し、かつ、引張エレメント（４）を巻き取るように巻取方向（Ｖ）に回転可能であり、前記第１の係合手段（３４５）および前記第２の係合手段（３５５）は、解除位置では、前記巻回しエレメント（３５）を前記作動エレメント（３４）に対して回転させることができるように互いに係合しておらず、かつ、係合位置では、前記作動エレメント（３４）を介して前記巻回しエレメント（３５）を回転させることができるように互いに係合状態にすることが可能であり、前記第１のファスナー部位（２）が第１の歯部手段（２５）を含み、前記第２のファスナー部位（３）が第２の歯部手段（３５１）を含み、前記第１の歯部手段（２５）および前記第２の歯部手段（３５１）は、当該ファスナー装置（１）の前記閉位置にて、前記第１のファスナー部位（２）と前記第２のファスナー部位（３）とが前記巻取方向（Ｖ）に沿って互いに形状係合状態で保持されるように互いに係合していることを特徴とする、ファスナー装置（１）。
【請求項２】
請求項１に記載のファスナー装置（１）において、前記第１の係合手段（３４５）および前記第２の係合手段（３５５）は、当該ファスナー装置（１）の前記閉位置にて前記係合位置にあることを特徴とする、ファスナー装置（１）。
【請求項３】
請求項１または２に記載のファスナー装置（１）において、前記第１の係合手段（３４５）と前記第２の係合手段（３５５）との前記係合位置では、前記巻取方向（Ｖ）への前記作動エレメント（３４）の回転時に前記巻回しエレメント（３５）が当該作動エレメント（３４）と一緒に動かされる一方で、前記巻取方向（Ｖ）の反対方向へは前記作動エレメント（３４）が前記巻回しエレメント（３５）に対して回転可能となることを特徴とする、ファスナー装置（１）。
【請求項４】
請求項１から３のいずれか一項に記載のファスナー装置（１）において、前記第１の係合手段（３４５）および／または前記第２の係合手段（３５５）が、前記閉方向（Ｘ）周りに延在する鋸歯状の歯部を有していることを特徴とする、ファスナー装置（１）。
【請求項５】
請求項１から４のいずれか一項に記載のファスナー装置（１）において、前記作動エレメント（３４）および前記巻回しエレメント（３５）が、前記解除位置と前記係合位置との間での前記係合手段（３４５，３５５）の移動のために前記閉方向（Ｘ）に沿って軸方向に互いに調節可能であることを特徴とする、ファスナー装置（１）。
【請求項６】
請求項１から５のいずれか一項に記載のファスナー装置（１）において、前記作動エレメント（３４）および前記巻回しエレメント（３５）が、前記解除位置の方向へと互いにばね予圧されていることを特徴とする、ファスナー装置（１）。
【請求項７】
請求項１から６のいずれか一項に記載のファスナー装置（１）において、前記第２の歯部手段（３５１）が、前記作動エレメント（３４）に又は前記巻回しエレメント（３５）に設けられていることを特徴とする、ファスナー装置（１）。
【請求項８】
請求項１から７のいずれか一項に記載のファスナー装置（１）において、前記閉位置では、前記巻取方向（Ｖ）へは前記第２のファスナー部位（３）が前記第１のファスナー部位（２）に対して回転可能である一方で、前記巻取方向（Ｖ）の反対方向へは前記第１のファスナー部位（２）に対する前記第２のファスナー部位（３）の回転がロックされていることを特徴とする、ファスナー装置（１）。
【請求項９】
請求項１から８のいずれか一項に記載のファスナー装置（１）において、前記第１のファスナー部位（２）が円筒部（２０１）を有しており、当該円筒部（２０１）は、前記閉位置にて、前記第１のファスナー部位（２）への前記巻回しエレメント（３５）の回転可能な取付けのために当該巻回しエレメント（３５）の開口（３５０）内に係合していることを特徴とする、ファスナー装置（１）。
【請求項１０】
請求項１から９のいずれか一項に記載のファスナー装置（１）において、前記第１のファスナー部位（２）及び前記第２のファスナー部位（３）はそれぞれ、当該ファスナー部位（２，３）同士の取付時に磁気吸引力を与える少なくとも１つの磁石エレメント（２３，３３）を含むことを特徴とする、ファスナー装置（１）。
【請求項１１】
請求項１から１０のいずれか一項に記載のファスナー装置（１）において、前記第１のファスナー部位（２）及び前記第２のファスナー部位（３）が、前記閉位置にて、当該ファスナー部位（２，３）同士を前記閉方向（Ｘ）に抗して互いに保持するように互いに機械的に拘束されていることを特徴とする、ファスナー装置（１）。
【請求項１２】
請求項１１に記載のファスナー装置（１）において、一方の前記ファスナー部位（２，３）が、少なくとも１つの可動なデテントエレメント（３８５）を有するデテント手段（３６）を含み、当該少なくとも１つの可動なデテントエレメント（３８５）は、拘束位置にて、他方のファスナー部位（３，２）のデテント凹部（２０２）に係合することにより前記ファスナー部位（２，３）同士を前記閉方向（Ｘ）に抗して互いに保持することを特徴とする、ファスナー装置（１）。
【請求項１３】
請求項１２に記載のファスナー装置（１）において、前記デテント手段（３６）が、前記ファスナー部位（２，３）の取付時に前記拘束位置へと自動的に移行することを特徴とする、ファスナー装置（１）。
【請求項１４】
請求項１２または１３に記載のファスナー装置（１）において、前記少なくとも１つのデテントエレメント（３８５）が、前記拘束位置の方向へとばね予圧されていることを特徴とする、ファスナー装置（１）。
【請求項１５】
請求項１２から１４のいずれか一項に記載のファスナー装置（１）において、前記デテント手段（３６）が、前記閉位置で前記他方のファスナー部位（３，２）内に係合する係合エレメント（３８）を有しており、当該係合エレメント（３８）上に、前記少なくとも１つのデテントエレメント（３８５）が配置されていることを特徴とする、ファスナー装置（１）。
【請求項１６】
請求項１５に記載のファスナー装置（１）において、前記デテント手段（３６）が、前記第２のファスナー部位（３）に設けられており、前記係合エレメント（３８）が、前記作動エレメント（３４）に対して前記閉方向（Ｘ）に沿って軸方向に調節可能であることを特徴とする、ファスナー装置（１）。
【請求項１７】
請求項１６に記載のファスナー装置（１）において、前記係合エレメント（３８）が、前記作動エレメント（３４）に対して前記閉方向（Ｘ）に沿ってばね予圧されていることを特徴とする、ファスナー装置（１）。
【請求項１８】
請求項１５から１７のいずれか一項に記載のファスナー装置（１）において、前記デテント手段（３６）が、前記係合エレメント（３８）上に調節可能に配置された操作エレメント（３７）を有しており、当該操作エレメント（３７）は、前記少なくとも１つのデテントエレメント（３８５）を前記デテント凹部（２０２）から脱係合させるように作動されることが可能であることを特徴とする、ファスナー装置（１）。
【請求項１９】
請求項１８に記載のファスナー装置（１）において、前記操作エレメント（３７）が、前記係合エレメント（３８）上で前記閉方向（Ｘ）に沿って軸方向に案内されることを特徴とする、ファスナー装置（１）。
【発明の詳細な説明】
【技術分野】
【０００１】
本発明は、請求項１の前提部に記載されているファスナー装置に関する。
【背景技術】
【０００２】
この種のファスナー装置は、第１のファスナー部位および第２のファスナー部位を備える。第１のファスナー部位及び第２のファスナー部位は、閉方向に沿って互いに取り付けられることが可能で、閉位置にて互いに保持されて、かつ、ファスナー装置を開くように互いに切離し可能とされる。
【０００３】
この種のファスナー装置は、一般的に、２つの部分を互いに連結する役割を果たす。例えば、この種のファスナー装置は、例えばバッグ、リュックサック等の入れ物用のファスナーを提供し得る。しかしながら、この種のファスナー装置は、例えばスポーツシューズ等の靴用のファスナー等の役割を果たすこともある。より一般的に述べると、この種のファスナー装置は、荷重支持作用を有する任意の２つの物品同士を連結する役割を果たし得る。
【０００４】
ここで、この種のファスナー装置は、２つの部分を着脱可能に互いに連結するのに使用可能であるだけでなく締付けも可能にするものであることが望ましい場合がある。例えば、リュックサック用のファスナーの場合や靴用のファスナーの場合には、第一に部分同士が互いに取り付けられることが可能であるだけでなく、第二に部分同士が互いに締め付けられることも可能であるのが望ましくあり得る。
【０００５】
例えば特許文献１には、巻回しエレメントに巻き付けられることが可能な引張エレメントを備える締付け装置が記載されている。
【先行技術文献】
【特許文献】
【０００６】
【特許文献１】国際公開第２０１５／００６６１６号パンフレット
【発明の概要】
【発明が解決しようとする課題】
【０００７】
本発明の目的の一つは、第一に物品同士が互いに着脱可能に連結されることを可能にするだけでなく、第二に当該物品同士が互いに締め付けられるのも可能にするファスナー装置を提供することである。
【課題を解決するための手段】
【０００８】
上記の目的は、請求項１の構成を備える主題により達成される。
【０００９】
第２のファスナー部位が、第１の係合手段を有する作動エレメント、および当該作動エレメントに設置された巻回しエレメントを含み、当該巻回しエレメントは第２の係合手段を有し、かつ、引張エレメントを巻き取るように巻取方向に回転可能である。前記第１の係合手段および前記第２の係合手段は、解除位置では、前記巻回しエレメントを前記作動エレメントに対して回転させることができるように互いに係合していない。前記第１の係合手段および前記第２の係合手段は、係合位置では前記作動エレメントを介して前記巻回しエレメントを回転させることができるように互いに係合状態にすることが可能である。第１のファスナー部位は第１の歯部手段を含み、前記第２のファスナー部位は第２の歯部手段を含む。前記第１の歯部手段および前記第２の歯部手段は、ファスナー装置の閉位置にて、前記第１のファスナー部位と前記第２のファスナー部位とが前記巻取方向に沿って互いに形状係合状態で保持されるように互いに係合している。
【００１０】
提案するファスナー装置では、２つの部分を互いに着脱可能に連結するファスナーと、締付け装置とが互いに組み合わされている。第一に、当該ファスナー装置は、閉方向に沿って互いに取り付けられることが可能で且つ閉位置にて互いに保持される、２つのファスナー部位を備えている。当該ファスナー部位同士が互いに保持されることにより、当該ファスナー部位に振り当てられた物品同士が当該ファスナー部位によって互いに連結される。また、当該ファスナー部位同士が互いに分離されることで、これらの物品同士が再び互いに切り離されることも可能である。第二に、第２のファスナー部位は、引張エレメントが配されることが可能な巻回しエレメントを含む。当該巻回しエレメントは、例えばシリンダー状のローラの形態を有し得て、かつ、前記引張エレメントが収容されることが可能な巻回し溝（ワイデイングチャンネル）を保持し得る。これにより、前記巻回しエレメントを回転させることで、前記引張エレメントを巻き取って且つこれによって当該引張エレメントを締めることができる。
【００１１】
前記第１のファスナー部位は第１の物品に設置されたものであり得て、前記第２のファスナー部位は前記引張エレメントを介して第２の物品に接続されたものであり得る。前記引張エレメントが前記巻回しエレメントに巻き付けられることで、前記第１の物品と前記第２の物品とが互いに締め付けられることができる。
【００１２】
前記引張エレメントは、例えば、引張力を伝えるため（だけ）に適した可撓性のエレメントであり得る。前記引張エレメントは、例えばケーブル、ストラップ、バンド、ベルト、チェーン、（導電）ケーブル等であり得る。
【００１３】
前記引張エレメントは、例えば、２つの端部で前記巻回しエレメントに固定されたものであり得る。この場合の前記引張エレメントは、前記巻回しエレメントの回転により、当該引張エレメントの２つの端部と共に前記巻回しエレメントに巻き付けられ得る。しかしながら、前記引張エレメントの１つの端部のみが前記巻回しエレメントに固定されたものとすることも考えられ得て且つ可能であり、この場合には当該１つの端部のみが、前記巻回しエレメントの回転によって巻き取られる。また、前記引張エレメントを前記巻回しエレメントの回転により巻き取るのに、当該引張エレメントの内側部分が当該巻回しエレメントに配されるものとすることも考えられ得て且つ可能である。また、複数の相異なる引張エレメントが前記巻回しエレメントに配されるものとし、当該複数の相異なる引張エレメントを前記巻回しエレメントによって巻取り可能とすることも考えられ得る。
【００１４】
前記ファスナー装置では、前記作動エレメントと前記巻回しエレメントとが、係合手段によって（切離し可能に）互いに動作可能に連結される。これにより、特に前記ファスナー装置が前記閉位置にあるときに、前記作動エレメントの作動によって前記巻回しエレメントが回転されることが可能となり、これによって、当該巻回しエレメントに配された引張エレメントが当該巻回しエレメントに巻き取られることが可能となる。この目的のために、前記閉位置では、前記作動エレメントの前記第１の係合手段と前記巻回しエレメントの前記第２の係合手段とが互いに係合し、これによって前記作動エレメントから前記巻回しエレメントへと作動力が伝わることで、前記巻回しエレメントが前記作動エレメントと一緒に回転される。
【００１５】
ただし、前記係合手段の係合は、前記作動エレメントと前記巻回しエレメントとの間の相対運動を可能にするように解除されることも可能であり得る。これにより、例えば前記ファスナー装置が開いているとき等に、前記巻回しエレメントが前記作動エレメントに対して独立で回転することが可能となる。このようにして、前記ファスナー装置が開いているときに、例えば、前記作動エレメントを一緒に回転させなくても前記巻回しエレメントから前記引張エレメントを簡単に巻き出すことが可能になる。これにより、前記ファスナー装置の作動を大幅に簡略化させることができる。
【００１６】
前記第１の係合手段および前記第２の係合手段は、前記ファスナー装置の前記閉位置にて好ましくは前記係合位置にあり、かつ、この係合位置に保持される。つまり、前記ファスナー装置の前記閉位置では、前記作動エレメントと前記巻回しエレメントとが互いに動作可能に連結していることになるので、前記作動エレメントの回転が前記巻回しエレメントの回転に繋がり、これによって前記作動エレメントから前記巻回しエレメントへと作動力が導入される。
【００１７】
一実施形態において前記係合手段は、前記係合位置にて前記作動エレメントと前記巻回しエレメントとの間で双方向に強固な荷重支持連結が生じるように構成され得る。これにより、前記作動エレメントおよび前記巻回しエレメントは、前記巻取方向にも前記巻取方向の反対方向にも一緒にしか回転出来ないものとされる。
【００１８】
しかしながら、他の実施形態における前記第１の係合手段と前記第２の係合手段との係合は、前記作動エレメントを前記巻取方向に調節したときの作動力が前記巻回しエレメントに伝わる一方で、前記巻取方向の反対方向に前記作動エレメントを回転させた場合には前記巻回しエレメントの回転に繋がらず、むしろ、前記作動エレメントが前記巻回しエレメントから独立して前記巻取方向の反対方向に回転可能となる係合であり得る。この目的のために、一方の前記係合手段又は両方の係合手段は、例えば、前記巻取方向への前記作動エレメントの回転時の係合では当該係合手段同士が互いにロックすることで前記巻回しエレメントが前記作動エレメントと一緒に回転する一方、前記巻取方向の反対方向への前記作動エレメントの回転時には当該係合手段同士が互いの上をスライドすることが可能となる（具体的に述べると、当該係合手段を介した（実質的な）力伝達が発生しない）ような鋸歯状の形態を有するものとされ得る。
【００１９】
前記係合手段は、例えば、一方が前記作動エレメントにて及び他方が前記巻回しエレメントにて、前記閉方向周りに周回状に取り付けられている。この場合の前記係合手段は、前記作動エレメントの表面において及び前記巻回しエレメントの表面において、互いに対向するように形成されている。
一つの具体例では、前記巻回しエレメントが例えば前記第２の係合手段を実現する鋸歯状の歯部を有し得て、かつ、前記作動エレメントの前記第１の係合手段は、前記巻回しエレメントの前記鋸歯状の歯部が前記係合位置にて係合する、一列に並べられた一連の係合開口部により形成されている。
【００２０】
前記作動エレメントおよび前記巻回しエレメントは、前記解除位置と前記係合位置との間での前記係合手段の移動のために例えば前記閉方向に沿って軸方向に互いに調節され得る。前記解除位置では、前記作動エレメントのうちの前記係合手段が形成された表面と前記巻回しエレメントのうちの前記係合手段が形成された表面とが前記閉方向に沿って軸方向に互いに離れることにより、当該係合手段同士が互いに係合しなくなる。対照的に、前記係合位置では、これら表面同士が互いに向かって動かされることで前記係合手段間に係合が生じる。
【００２１】
一実施形態では、前記作動エレメントおよび前記巻回しエレメントが、例えば前記解除位置の方向等へと互いにばね予圧（federvorgespannen）されている。この目的のために、例えば渦巻きばねの形態、前記作動エレメント又は前記巻回しエレメントに射出成形されたばねの形態等のばねエレメントが前記作動エレメントと前記巻回しエレメントとの間に動作するものとし、当該ばねによって前記作動エレメントと前記巻回しエレメントとの間に前記解除位置の方向へのばね−機械予圧（federmechanische Vorspannung）を付与することが可能である。前記作動エレメントと前記巻回しエレメントとの間に他にどのような力も働いていない場合（特には、前記ファスナー装置が当該ファスナー装置の開位置に位置している場合）、前記作動エレメントと前記巻回しエレメントとは互いに係合しないことになり、例えば前記引張エレメントの巻出し等のために前記巻回しエレメントを前記作動エレメントから独立して回転させることが可能となる。
【００２２】
前記作動エレメントと前記巻回しエレメントとの間に（切離し可能な）動作可能な連結を生じさせる役割を果たす前記係合手段のほかに、前記第１のファスナー部位及び前記第２のファスナー部位はそれぞれ、前記ファスナー装置の前記閉位置にて当該ファスナー部位同士の形状係合保持を前記巻取方向に沿って生じさせる歯部手段を含む。
ここで、形状係合保持とは、前記ファスナー部位間で前記巻取方向に沿って働く少なくとも一定の力を、前記ファスナー部位同士が結果として前記巻取方向に沿って互いに調節されることなく形状係合方式によって支持・散逸可能であることを意味するものと理解されたい。このような形状係合保持は、前記巻取方向にも前記巻取方向の反対方向にも生じるものとされてもよい。しかしながら、力が一方向のみ、すなわち、前記巻取方向及び前記巻取方向の反対方向のいずれかのみで支持されるものとすることも考えられ得て且つ可能である。
【００２３】
ここで、前記形状係合保持は、前記閉位置にて前記巻取方向の反対方向および／または前記巻取方向への前記第１のファスナー部位に対する前記第２のファスナー部位の動きがロックされる保持であり得る。すなわち、前記形状係合保持は、少なくとも前記第１のファスナー部位から前記第２のファスナー部位を取り外さない限りは容易に解消することができないものとされ得る。しかし、変形例における前記形状係合保持は、前記歯部手段の幾何形状に依存する一定の閾値トルクを超えると解消されるものとされてもよく、この場合の前記第２のファスナー部位は、前記閾値トルクを上回る力を導入すると、前記第１のファスナー部位に対して前記巻取方向および／または前記巻取方向の反対方向に回転させることが可能である。
【００２４】
この場合の（前記第２のファスナー部位の）前記第２の歯部手段は、前記作動エレメントに又は前記巻回しエレメントに設けられ得る。これにより、前記閉位置での形状係合保持は、前記作動エレメントと前記第１のファスナー部位との間、または前記巻回しエレメントと前記第１のファスナー部位との間に生じ得る。
【００２５】
具体的に述べると、前記歯部手段により、前記ファスナー部位同士が互いに取り付けられているとき（したがって、前記閉位置に位置しているとき）に、前記巻取方向へは前記第１のファスナー部位に対する前記第２のファスナー部位の回転を可能にする一方で前記巻取方向の反対方向への動きについてはロックするという一種のフリーホイールを提供することが可能となる。前記巻回しエレメントが前記第１のファスナー部位に対して回転した場合、前記第２のファスナー部位の前記第２の歯部手段が前記第１のファスナー部位の前記第１の歯部手段の上をスライドすることで、前記第１のファスナー部位に対する前記巻取方向への前記第２のファスナー部位のラチェット動作が可能となる。ただし、前記巻取方向の反対方向に荷重が加わった場合には、前記歯部手段の歯部エレメント同士が互いに係合することで動きがロックされて、前記第２のファスナー部位が（したがって、前記巻回しエレメントも）自身の現在位置のまま保持されることになる。
【００２６】
前記歯部手段同士は、例えば、軸方向に互いに係合するものとされ得る。前記第２のファスナー部位が前記第１のファスナー部位に対して前記巻取方向に回転した場合には、例えば鋸歯状の歯部エレメント同士が互いの上をスライドすることで前記歯部手段同士が互いの上をスライドする。前記第１のファスナー部位及び前記第２のファスナー部位が互いに回転可能に取り付けられた状態で、当該第１のファスナー部位及び当該第２のファスナー部位が互いに軸方向に案内されると、これに伴って前記第１のファスナー部位に対する前記第２のファスナー部位の（小規模の）軸方向移動が生じ得る。
【００２７】
変形例では、少なくとも一方の前記歯部手段が、前記巻取方向への前記第２のファスナー部位の回転時に脇に（例えば、前記巻取方向を横切る方向等に）追いやられることが可能な少なくとも１つの歯部エレメントを有するものとされ得る。よって、この場合には前記ファスナー部位間で軸方向移動が起こらず、むしろ、前記第２のファスナー部位が前記第１のファスナー部位に対して前記巻取方向に回転されると一方の前記歯部手段の前記歯部エレメントが脇に追いやられる。この構成は、特に、前記閉位置にて前記第１のファスナー部位と前記第２のファスナー部位とが互いに機械的に拘束されていて且つそのため軸方向に互いに移動できない場合に好都合となり得る。
基本的には、技術的に知られているあらゆる種類のフリーホイールが使用されることが可能である。
【００２８】
一実施形態では、前記第１のファスナー部位が円筒部を有しており、当該円筒部は、前記閉位置にて、前記第１のファスナー部位への前記巻回しエレメントの回転可能な取付けのために当該巻回しエレメントの開口内に係合している。前記第１のファスナー部位の前記第１の歯部手段は、表面部分の周囲に周方向で延在しているものとされ得る。この場合、前記円筒部により、前記第１のファスナー部位への前記第２のファスナー部位（具体的に述べると、前記第２のファスナー部位の前記巻回しエレメント）の回転可能な取付けが実現される。これにより、例えば前記引張エレメントを前記巻回しエレメントに巻き付けるのに、前記作動エレメントの作動によって前記第１のファスナー部位の前記歯部手段と前記第２のファスナー部位の前記歯部手段とに互いの上をスライドさせて前記第２のファスナー部位を回転させるということが簡単にできるようになる。
【００２９】
本明細書で説明するタイプのファスナー装置は、前記ファスナー部位同士が互いに取り付けられて前記閉位置にて互いに機械的に保持される純粋に機械的なファスナー装置として構成され得る。このとき、そのような機械的保持により、前記閉方向を横切る平面内の剪断力を受け止めることが可能となる。さらに、前記ファスナー部位間に機械的なデテント連結が設けられている場合には、前記閉方向の反対方向の力も受け止めることが可能となる。
【００３０】
有利な一実施形態では、前記ファスナー装置が磁気を利用した設計とされる。この目的のために、前記第１のファスナー部位及び前記第２のファスナー部位はそれぞれ、当該ファスナー部位同士の取付時に前記ファスナー装置を閉じるように磁気吸引作用を伴って互いに対向配置されて且つこれによって前記ファスナー装置の閉動作を磁気的に支援する、少なくとも１つの磁石エレメントを含む。
【００３１】
ここで、磁石エレメントは、永久磁石、または強磁性性材料等で構成された磁性アーマチュアにより形成され得る。例えば、一方の前記ファスナー部位は、他方のファスナー部位の磁性アーマチュアと磁気吸引作用によって相互作用する永久磁石を含むものとされ得る。しかしながら、両方のファスナー部位をそれぞれ、当該ファスナー部位同士の取付時に相対する磁極で互いに対向配置されて且つこれによって取付過程を磁気吸引により支援する、永久磁石又は複数の永久磁石の配置構成体を含むものとすることも考えられ得る。
【００３２】
具体的に述べると、前記第１のファスナー部位と前記第２のファスナー部位との間で磁気吸引作用を伴って動作することで当該ファスナー部位同士の取付けを磁気的に支援する磁石エレメントにより、当該ファスナー部位の前記歯部手段同士を、前記閉位置にて当該歯部手段間で係合が生じるように互いの係合状態へと引き寄せることが可能である。前記磁石エレメントにより、さらに、前記閉位置にて前記作動エレメントの前記係合手段と前記巻回しエレメントの前記係合手段とを互いに係合させるということも実現可能となり得る。
【００３３】
例えば、前記作動エレメントに、前記ファスナー装置の閉動作時に前記第１のファスナー部位の対応する磁石エレメントと相互作用する磁石エレメントが配置され得る。この磁気吸引力により、前記閉位置での前記作動エレメントの前記係合手段と前記巻回しエレメントの前記係合手段との間の係合についても、前記作動エレメントが当該作動エレメントの磁気作用によって前記巻回しエレメントへと引き寄せられることで生じるものとすることが可能である。
【００３４】
前記作動エレメントと前記巻回しエレメントとの間に前記係合手段の前記解除位置の方向へのばね予圧が存在している場合には、好ましくは、前記閉位置での磁気吸引力が、当該磁気吸引力によって前記作動エレメントの前記係合手段と前記巻回しエレメントの前記係合手段との間に係合を生じさせることができるように予圧ばね力を上回るものとされる。
【００３５】
一実施形態では（磁気を利用する前記ファスナー装置の一実施形態、および磁気を利用しない前記ファスナー装置の一実施形態のいずれにかかわらず）、前記第１のファスナー部位及び前記第２のファスナー部位が、前記閉位置にて、当該ファスナー部位同士を前記閉方向に抗して互いに保持するように互いに機械的に拘束され得る。この目的のために、一方の前記ファスナー部位は、例えば、少なくとも１つの可動なデテントエレメントを有するデテント手段を含み得て、当該少なくとも１つの可動なデテントエレメントは、拘束位置にて、他方のファスナー部位のデテント凹部に係合することにより前記ファスナー部位同士を前記閉方向に抗して互いに保持し得る。これにより、前記ファスナー部位同士が互いに取り付けられたときに、前記デテント手段によって当該ファスナー部位間において機械的なデテント連結が生じる。前記デテント手段により、前記ファスナー部位同士が前記閉方向と逆向きの荷重に抗して互いに保持されるので、そのデテント連結を解除しない限りは、当該ファスナー部位同士を互いに取り外すことができない。
【００３６】
好ましくは、前記デテント手段は、前記ファスナー部位同士の取付時に前記拘束位置へと自動的に移行する。これにより、前記ファスナー部位同士の取付時に当該ファスナー部位同士が自動的に互いに拘束されるので、前記閉位置での当該ファスナー部位同士の保持が守られる。このとき、前記ファスナー部位同士が取り付けられた状態のまま前記引張エレメントを前記巻回しエレメントに巻き付けることが可能であるように、任意で、前記第２のファスナー部位は前記デテント連結にかかわらず前記第１のファスナー部位に対して前記巻取方向へと回転可能なものとされ得る。
【００３７】
前記デテント手段は、少なくとも１つのデテントエレメントを有し得る。これらは、例えば自身の拘束位置の方向へとばね予圧されている。これにより、好ましくは、前記ファスナー部位同士が互いに取り付けられたときに前記デテントエレメントが他方のファスナー部位の対応する前記デテント凹部に自動的に係合する。
【００３８】
一実施形態では、前記デテント手段が、前記閉位置で前記他方のファスナー部位内に係合する係合エレメントを有しており、当該係合エレメント上に、前記少なくとも１つのデテントエレメントが配置されている。前記デテント手段が例えば前記第２のファスナー部位に設けられている場合には、前記係合エレメントが前記閉位置にて、前記第１のファスナー部位のうちの例えば前記巻回しエレメントを取り付ける役割を果たす円筒部等における対応する開口内に係合する。前記係合エレメント上には、前記閉位置にて当該係合エレメントにより前記ファスナー部位間のデテント係合が生じるように、少なくとも１つのデテントエレメントが配置されている。
【００３９】
一実施形態では、前記デテント手段が前記第２のファスナー部位に形成されている場合に、前記係合エレメントが、前記作動エレメントに対して前記閉方向に沿って軸方向に調節可能なものとされる。これにより、前記作動エレメントは、前記係合エレメントに対して軸方向に所与の距離にわたって調節されることが可能となる。具体的に述べると、これにより前記第２のファスナー部位は、当該第２のファスナー部位と前記第１のファスナー部位との間にデテント係合が生じている状態のまま前記第１のファスナー部位に対して回転する場合や前記歯部手段同士が互いの上をスライドするときに、これを補償する軸方向の移動を前記第１のファスナー部位に対して相対的に行うことができる。
【００４０】
このとき、好ましくは、前記係合エレメントは、前記ファスナー装置が前記閉位置にあるときに前記作動エレメントを（したがって、前記巻回しエレメントも）前記第１のファスナー部位の方向に押しやる例えば圧縮ばね等により、前記作動エレメントに対してばね予圧されている。
好ましくは、前記ファスナー部位間のデテント連結を解除して前記ファスナー部位同士を互いに分離することで前記ファスナー装置を開くのを可能にするため、前記デテント手段は、前記少なくとも１つのデテントエレメントを前記デテント凹部から脱係合させるように作動されることが可能な操作エレメントを有している。例えば、ユーザは、前記係合エレメント上に配置されている前記操作エレメントを押すことにより、前記係合エレメント上に配置された前記デテントエレメントを動かす又は少なくとも切り離すことができる。これにより、前記デテント手段のデテント係合が解除され得る。
【００４１】
前記操作エレメントは、例えば、前記係合エレメント上で前記閉方向に沿って軸方向に案内される。前記係合エレメントは、例えば、内部に前記操作エレメントを前記閉方向に沿って軸方向に変位可能に収容するスリーブとして構成され得る。
また、一実施形態では、前記作動エレメントと前記巻回しエレメントとの間に歯車機構（例えば、遊星歯車機構等）を設けて、前記作動エレメントから前記巻回しエレメントへの力導入が歯車機構を介して（したがって、減速を伴って又は増速を伴って）行われるようにすることも可能である。
【００４２】
前記作動エレメントの作動は、手動で当該作動エレメントを回転させることで行われるものとされてもよい。ただし、前記作動エレメントを駆動するのに電気モータが設けられた実施形態も考えられ得て且つ可能である。このような電気モータは、例えば前記第１のファスナー部位と連結した物品上の定位置に設置され得て、かつ、例えば前記ファスナー装置が当該ファスナー装置の閉位置に位置したときに駆動ウォームなどの適切な歯車部品を介して前記作動エレメントの歯部に係合するものとされ得る。これにより、前記作動エレメントが前記電気モータによって回転され得る。
変形例では、前記第１のファスナー部位の前記歯部手段が、当該第１のファスナー部位の当該歯部手段の回転によって前記巻回しエレメントを回転させるように電気モータ手段で駆動されるものとすることも考えられ得て且つ可能である。
【００４３】
一実施形態では、前記ファスナー装置の閉動作時に前記ファスナー部位間に電気的な接触が生じるように、前記第１のファスナー部位及び前記第２のファスナー部位のそれぞれに、少なくとも１つの電気接点エレメントが設けられ得る。
さらなる実施形態では、前記ファスナー装置が、前記第２のファスナー部位に設けられて前記巻回しエレメント及び前記作動エレメント以外の追加の構成要素として構成され得る、例えばアイレット等の形態の巻取アウトプットエレメント（Windenausgangselement）を備え得る。当該巻取アウトプットエレメントは、例えば前記巻回しエレメントおよび／または前記作動エレメントに対して自由に回転可能なものとされ得て、かつ、前記引張エレメントが定められた様式で前記巻回しエレメントへと進むように当該引張エレメントを当該巻回しエレメントに対して案内する。これにより、前記巻回しエレメントからの前記引張エレメントの制御不能な巻出し（特には、巻出し過程において前記引張エレメントがもつれること）が防がれる。
【００４４】
本明細書で説明するファスナー装置は、ファスナー部位同士の切離し可能な連結と引張エレメントの締付け機能との併用を可能にする。これにより、例えば、前記ファスナー部同士が分離した状態で前記引張エレメントに先に負荷をかけて緊張状態にしてから前記ファスナー装置を閉じたうえで、当該ファスナー装置の前記閉位置にて前記引張エレメントを前記巻回しエレメントの回転により巻き取って再度締めるということが可能になる。これにより、例えば靴の場合には、前記ファスナー装置が分離した状態で（靴ひもの形態の）前記引張エレメントを引っ張ることで当該引張エレメントを手動で仮締めてから、前記ファスナー装置を閉じて当該引張エレメントを再度締めるということが可能になる。
【００４５】
また、前記ファスナー部位同士が分離していることにより、前記巻回しエレメントに接続された前記引張エレメントを所与の物体に引き回したうえで前記ファスナー装置によって同物品を別の何かに固定するということが可能になる。例えば、前記ファスナー装置が開いた状態で前記引張エレメントを例えばマストやフレーム（例えば、自転車のフレーム等）に引き回してから、前記ファスナー装置を閉じて前記引張エレメントを締めることで、物品をこのようにして前記マスト又は前記フレームに固定するということが可能になる。
【００４６】
本明細書で説明するタイプのファスナー装置は、多種多様な様式で使用され得る。例えば、本明細書で説明するタイプのファスナー装置は、リュックサック、ボックス、容器などのバッグや他の入れ物、靴（特には、ウォーキングシューズ、スキーブーツなどのスポーツシューズ）、ヘルメット（特には、スポーツヘルメット）、医療用支持スプリントなどの医療用補助具等に使用され得る。
【００４７】
例えば、本明細書で説明するタイプのファスナー装置により、サックやバッグのストラップ（いわゆる圧縮ストラップ）が締められることが可能となる。リュックサックや学生かばんのストラップやヒップストラップが、このようなファスナー装置によって閉じられて締められることが可能となる。また、このようなファスナー装置は、例えばヘッドフォンケーブル、充電ケーブル等の電気ケーブルを巻き取るケーブルドラムにも使用され得る。
【００４８】
ヘルメットの場合には、本明細書で説明するタイプのファスナー装置により、ストラップを締めたり当該ヘルメットに物体［例えば、（スキーゴーグルなどの）保護ゴーグル等］を固定したりすることが可能になる。
また、このタイプのファスナー装置は、乗り物（自転車、乗用車、重量積載物車両、船舶、航空機など）内に又は上にアクセサリやバッグを積載したり固定したりする役割を、例えば自転車の荷台の締付け装置等として果たし得る。
具体的に述べると、このタイプのファスナー装置は、例えばドリンクボトル、容器等の物品を自転車のフレームに固定する目的のために、例えば自転車のフレームに締付け固定されることが可能なホルダ等にて採用され得る。
また、このタイプのファスナー装置は、あらゆる種類のタープやシートを張るのに（例えば、テント用ターポリンを張ったり日よけを張ったりするのに）使用され得る。
また、軍事用途も考えられ得て且つ可能である。つまり、ファスナー装置は、武器や弾薬を締付け固定したり積載したりするのに使用され得る。
また、説明するタイプのファスナー装置は、患者の大量出血傷を止血する止血帯システムに使用され得る。
【００４９】
以下では、本発明の基礎をなす思想を、図面に示す例的実施形態に基づいてより詳細に説明する。
【図面の簡単な説明】
【００５０】
【図１Ａ】ファスナー装置の第１の例的実施形態を示す図である。
【図１Ｂ】ファスナー装置の第１の例的実施形態を示す他の図である。
【図２Ａ】ファスナー装置の分解図である。
【図２Ｂ】ファスナー装置の他の分解図である。
【図３Ａ】閉位置でのファスナー装置の斜視図である。
【図３Ｂ】図３Ａの配置構成の側面図である。
【図３Ｃ】同ファスナー装置の平面図である。
【図３Ｄ】図３Ｃの線Ａ−Ａに沿った断面図である。
【図３Ｅ】図３Ｃの線Ｂ−Ｂに沿った断面図である。
【図３Ｆ】図３Ｅの一部を拡大した図である。
【図４Ａ】開位置でのファスナー装置の図である。
【図４Ｂ】図４Ａの配置構成の側面図である。
【図４Ｃ】同ファスナー装置の平面図である。
【図４Ｄ】図４Ｃの線Ｇ−Ｇに沿った断面図である。
【図４Ｅ】図４Ｃの線Ｉ−Ｉに沿った断面図である。
【図４Ｆ】図４Ｅの細部を拡大した図である。
【図５Ａ】開位置でのファスナー装置の平面図である。
【図５Ｂ】図５Ａの線Ｑ−Ｑに沿った断面図である。
【図５Ｃ】図５Ｂの細部を拡大した図である。
【図６Ａ】ファスナー装置の例的なさらなる実施形態を示す分解図である。
【図６Ｂ】ファスナー装置の例的なさらなる実施形態を示す他の分解図である。
【図７Ａ】閉位置でのファスナー装置の斜視図である。
【図７Ｂ】図７Ａの配置構成の側面図である。
【図７Ｃ】同ファスナー装置の平面図である。
【図７Ｄ】図７Ｃの線Ａ−Ａに沿った断面図である。
【図８Ａ】一方のファスナー部位が他方のファスナー部位に対して回転する際のファスナー装置の斜視図である。
【図８Ｂ】図８Ａの配置構成の側面図である。
【図８Ｃ】同ファスナー装置の平面図である。
【図８Ｄ】図８Ｃの線Ｂ−Ｂに沿った断面図である。
【図９Ａ】開動作過程でのファスナー装置の斜視図である。
【図９Ｂ】図９Ａの配置構成の側面図である。
【図９Ｃ】同ファスナー装置の平面図である。
【図９Ｄ】図９Ｃの線Ｃ−Ｃに沿った断面図である。
【図１０Ａ】開位置でのファスナー装置の斜視図である。
【図１０Ｂ】図１０Ａの側面図である。
【図１０Ｃ】同ファスナー装置の平面図である。
【図１０Ｄ】図１０Ｃの線Ｄ−Ｄに沿った断面図である。
【図１１Ａ】ファスナー装置の例的なさらなる実施形態を、当該ファスナー装置の閉位置で描いた斜視図である。
【図１１Ｂ】図１１Ａの配置構成の側面図である。
【図１１Ｃ】同ファスナー装置の平面図である。
【図１１Ｄ】図１１Ｃの線Ａ−Ａに沿った断面図である。
【図１１Ｅ】例的な同実施形態の変更例の、図１１Ｃの線Ａ−Ａに沿った断面図である。
【図１２Ａ】歯部手段の例的な一実施形態を示す概略図である。
【図１２Ｂ】図１２Ａの歯部手段の斜視図である。
【図１３Ａ】歯部手段の例的な他の実施形態を示す概略図である。
【図１３Ｂ】図１３Ａの歯部手段の斜視図である。
【図１４Ａ】歯部手段の例的なさらなる他の実施形態を示す概略図である。
【図１４Ｂ】図１４Ａの歯部手段の斜視図である。
【図１５Ａ】歯部手段の例的なさらなる他の実施形態を示す概略図である。
【図１５Ｂ】図１５Ａの歯部手段の斜視図である。
【図１６Ａ】歯部手段の例的なさらなる他の実施形態を示す概略図である。
【図１６Ｂ】図１６Ａの歯部手段の斜視図である。
【図１７Ａ】ファスナー装置の例的な一実施形態を示す図であり、第１のファスナー部位の歯部手段が具体的に示されている図である。
【図１７Ｂ】図１７Ａの例的実施形態を示す図であり、第２のファスナー部位の歯部手段が描かれている図である。
【図１７Ｃ】同ファスナー装置の平面図である。
【図１７Ｄ】図１７Ｃの線Ａ−Ａに沿った断面図である。
【図１８】靴を締めるファスナー装置の用途の例的実施形態を示す図である。
【図１９】靴を締めるファスナー装置の用途の他の例的実施形態を示す図である。
【図２０】靴を締めるファスナー装置の用途のさらなる他の例的実施形態を示す図である。
【図２１】靴を締める際の図２０の例的実施形態を示す図である。
【図２２】靴を締めるファスナー装置の用途のさらなる他の例的実施形態を示す図である。
【図２３】靴を締めるファスナー装置の用途のさらなる他の例的実施形態を示す図である。
【図２４】靴を締めるファスナー装置の用途のさらなる他の例的実施形態を示す図である。
【図２５】ズボンの足部を締めるファスナー装置の例的実施形態を示す図である。
【図２６】ズボンの足部を靴と一緒に締め付けるファスナー装置の用途の例的実施形態を示す図である。
【図２７】ズボンの足部を靴に対して締め付けるファスナー装置の用途の他の例的実施形態を示す図である。
【図２８】衣服を閉じるファスナー装置の用途の例的実施形態を示す図である。
【図２９】衣服が閉じられる場合の図２８の例的実施形態を示す図である。
【図３０】衣服を閉じるファスナー装置の用途の他の例的実施形態を示す図である。
【図３１】医療用補助具を閉じて締めるファスナー装置の用途の例的実施形態を示す図である。
【図３２】閉じられて締められた状態での図３１の例的実施形態を示す図である。
【図３３】医療用補助具を閉じて締めるファスナー装置の用途の他の例的実施形態を示す図である。
【図３４】閉じられた状態での図３３の例的実施形態を示す図である。
【図３５】別の医療用補助具を閉じて締めるファスナー装置の用途の例的実施形態を示す図である。
【図３６】ヘルメットのベルトを閉じて締めるファスナー装置の用途の例的実施形態を示す図である。
【図３７】ベルトが閉じられた場合の図３６の例的実施形態を示す図である。
【図３８】ヘルメットのストラップを閉じて締めるファスナー装置の用途の例的な一実施形態を示す図である。
【図３９】ストラップが閉じられた場合の図３８の例的実施形態を示す図である。
【図４０】照明を吊るすファスナー装置の用途の例的実施形態を示す図である。
【図４１】絵や写真を掛けるファスナー装置の用途の例的実施形態を示す図である。
【図４２】照明をコンセントに接続するファスナー装置の用途の例的実施形態を示す図である。
【図４３】コンセントに接続された図４２の例的実施形態を示す図である。
【図４４】ケーブルが張られた場合の図４３の例的実施形態を示す図である。
【図４５】ローラブラインドを張るファスナー装置の用途の例的実施形態を示す図である。
【図４６】ローラブラインドを張るファスナー装置の用途の他の例的実施形態を示す図である。
【図４７】ストラップを荷物に対して締め付けるファスナー装置の用途の例的実施形態を示す図である。
【図４８】リュックサック上の引張エレメントを締めるファスナー装置の用途の例的実施形態を示す図である。
【図４９】物体を自転車に固定するファスナー装置の用途の例的実施形態を示す図である。
【図５０】物体を自転車に固定するファスナー装置の用途の他の例的実施形態を示す図である。
【図５１】自動車の荷室内に物体を固定するファスナー装置の用途の例的実施形態を示す図である。
【図５２】ストラップの形態の引張エレメントを備えたファスナー装置のさらなる例的実施形態を示す図である。
【図５３】図５２のファスナー装置の正面図である。
【図５４】同ファスナー装置の側面図である。
【図５５】同ファスナー装置の平面図である。
【図５６】図５５の線Ａ−Ａに沿った断面図である。
【図５７Ａ】２つのストラップ端部を互いに連結するファスナー装置の図である。
【図５７Ｂ】閉じられた状態での同ファスナー装置の図である。
【図５８】ファスナー装置の例的な他の実施形態を示す図である。
【図５９】２つのストラップ端部を互いに連結するファスナー装置の例的なさらなる実施形態を示す図である。
【図６０】閉位置での同ファスナー装置の図である。
【図６１Ａ】ファスナー部位同士を互いに取り付けるための位置に締付けレバーが位置した、同ファスナー装置の平面図である。
【図６１Ｂ】図６１Ａの細部Ａを拡大した図である。
【図６２Ａ】引張エレメントを締める際の同ファスナー装置の平面図である。
【図６２Ｂ】図６２Ａの細部Ａを拡大した図である。
【発明を実施するための形態】
【００５１】
図１Ａ、図１Ｂないし図５Ａ〜図５Ｃには、ファスナー部位２，３が閉方向Ｘに沿って互いに取り付けられることが可能で且つ閉位置にて互いに保持される、ファスナー装置１の例的実施形態が示されている。
図２Ａ及び図２Ｂの分解図から見て取れるように、第１のファスナー部位２は、円筒部２０１が形成された本体部２０を含む。円筒部２０１の周囲には、歯部２５が周回状に延在している。歯部２５の歯は鋸歯状の形態を有している。本体部２０には、さらに、磁石エレメント２３が配置されている。
【００５２】
第２のファスナー部位３は、ハンドグリップ形態の作動エレメント３４、および環状カラー３５２，３５４により軸方向に形成された溝３５３を形成する巻回しエレメント(Wickelelement)３５を含む。溝３５３に引張エレメント（Zugelement）４が収容されることで、当該引張エレメント４は巻回しエレメント３５に巻き付けられることが可能である。作動エレメント３４には、第１のファスナー部位２における磁石エレメント２３と磁気吸引作用によって相互作用する磁石エレメント３３が固定されている。
【００５３】
巻回しエレメント３５には、第１のファスナー部位２へと面する側に、歯部３５１が形成されている。ファスナー部位２，３を互いに取り付ける際には、図３Ａ〜図３Ｆに示すように、巻回しエレメント３５の前記歯部３５１が第１のファスナー部位２の本体部２０における歯部２５と係合する。
ファスナー部位２，３が互いに取り付けられると、円筒部２０１が巻回しエレメント３５の中央開口３５０内に係合することにより、巻回しエレメント３５は第１のファスナー部位２へと回転可能に且つ軸方向に移動可能に取り付けられる。
【００５４】
巻回しエレメント３５の歯部３５１および第１のファスナー部位２の歯部２５は、いずれも鋸歯状の形態を有している。これにより、ファスナー装置１の前記閉位置では、第２のファスナー部位３が巻回しエレメント３５及び作動エレメント３４と共に、第１のファスナー部位２に対して巻取方向Ｖへと回転されることができる。このとき、歯部２５，３５１の歯同士が互いの上をスライドして互いに通り越し得ることで、ファスナー部位２，３は軸方向に互いに変位する。このようにして、ファスナー部位２，３が互いに取り付けられたときの歯部２５，３５１は、巻取方向Ｖへの巻回しエレメント３５の回転については許可することにより、当該巻回しエレメント３５に配された引張エレメント４が締められるようにする一方で、巻取方向Ｖの反対方向への動きについてはロックすることにより、ファスナー部位２，３が互いに取り付けられた状態では引張エレメント４が巻取方向Ｖの反対方向に巻き出されることができないようにする、一種のフリーホイールを提供している。
【００５５】
例えば図３Ｅ及び図３Ｆから見て取れるように、歯部２５の歯および歯部３５１の歯はそれぞれアンダーカット部を形成している。当該アンダーカット部は、ファスナー部位２，３に荷重がかかると、当該歯部２５，３５１が巻取方向Ｖの反対方向についてはロック作用を伴って互いに係合するという効果、つまり、第１のファスナー部位２に対する巻取方向Ｖの反対方向への巻回しエレメント３５の回転運動が妨げられるという効果を奏する。この係合は、歯部２５，３５１のうちの巻取方向Ｖの反対方向に荷重が働いたときに相互作用するアンダーカット部付き歯面により、回転結合で荷重を支持し且つ自己増強する係合となる。
【００５６】
巻回しエレメント３５は、作動エレメント３４に回転可能に取り付けられている。この目的のために、巻回しエレメント３５は、作動エレメント３４のベース面３４０から内方に突出して環状カラー３５４に係合する保持エレメント３４２により、作動エレメント３４上において回転可能に且つ閉方向Ｘに沿って軸方向に所与の変位距離ぶん変位可能に保持されている。保持エレメント３４２は、環状カラー３５４の周囲に係合することにより、巻回しエレメント３５と作動エレメント３４とを連結させる。
【００５７】
作動エレメント３４および巻回しエレメント３５は、さらに、当該巻回しエレメント３５が任意の位置において当該作動エレメント３４と一緒に動くこと及び当該作動エレメント３４と独立して動くことのどちらかが出来るように、係合手段３４５，３５５によって連結可能とされている。この場合、第１の係合手段３４５は、閉方向Ｘ周りの周方向の一列に並べられた開口部の形態で、ベース面３４０に形成されている。当該開口部は、環状カラー３５４に形成されて当該環状カラー３５４から軸方向に突出する第２の係合手段３５５と動作可能な連結状態にされ得る。これにより、作動エレメント３４は巻回しエレメント３５へと、巻取方向Ｖの力を伝達できるように連結される。
【００５８】
作動エレメント３４には、当該作動エレメント３４を巻回しエレメント３５から背けられた側で閉じるカバーエレメント３２が配置されている。カバーエレメント３２は、この目的のために、作動エレメント３４に対してデテント作用を伴って係合する。
作動エレメント３４は、巻回しエレメント３５が収容されて当該巻回しエレメント３５が環状カラー３５４で軸方向に変位可能に保持される収容空間を、周方向側壁３４４によって取り囲んでいる。このとき、ベース面３４０の中央から円筒突部３４１が突出しており、当該円筒突部が巻回しエレメント３５の中央開口３５０内に係合することによって、作動エレメント３４と巻回しエレメント３５とが閉方向Ｘ周りに回転可能に互いに取り付けられる。
【００５９】
ファスナー部位２，３同士の取付時には、磁石エレメント２３，３３の磁気吸引相互作用により、図３Ａ〜図３Ｆに示すように、巻回しエレメント３５の開口３５０の内側における歯部３５１が円筒部２０１周囲の歯部２５と係合すると共に、円筒部２０１が巻回しエレメント３５の開口３５０と係合する。磁石エレメント２３，３３間の磁気吸引力により、作動エレメント３４も、第１のファスナー部位２の本体部２０の円筒部２０１に向かって引き寄せられる。これにより、作動エレメント３４が自身のベース面３４０と共に巻回しエレメント３５の環状カラー３５４へとさらに近付けられることで、作動エレメント３４の係合手段３４５と巻回しエレメント３５の係合手段３５５とが互いに係合する。これにより、作動エレメント３４と巻回しエレメント３５とは、図３Ｄ〜図３Ｆの断面図に示すように互いに機能的かつ動作可能に連結した状態となる。
【００６０】
前記閉位置での作動エレメント３４と巻回しエレメント３５との間の動作可能連結により、作動エレメント３４が巻取方向Ｖに回転した場合には、係合手段３４５，３５５の係合を介して作動力が巻回しエレメント３５へと伝わるので、巻回しエレメント３５が作動エレメント３４と一緒に動いて且つこれによって閉方向Ｘ周りに回転される。このとき、歯部２５，３５１は互いの上をスライドするので、巻回しエレメント３５が第１のファスナー部位２に対して回転し、これによって引張エレメント４が巻回しエレメント３５に巻き付けられる。
引張エレメント４によって巻取方向Ｖの反対方向に荷重が導入されるものの、鋸歯状のアンダーカット形態の歯部２５，３５１により、巻回しエレメント３５は逆回転することができない。これは、歯部２５，３５１同士の係合によって妨げられている。
【００６１】
特に図３Ｅ及び図３Ｆの断面図から見て取れるように、巻回しエレメント３５の係合手段３５５は、斜めの歯面と略垂直方向の歯面とを有する鋸歯状の歯部を含む鋸歯状の形態とされている。係合位置では、鋸歯状の歯部３５５が、作動エレメント３４のベース面３４０において係合手段３４５を形成している前記開口部へと係合する。この係合は、作動エレメント３４から巻回しエレメント３５へと巻取方向Ｖの作動力が導入されると巻回しエレメント３５が作動エレメント３４と一緒に巻取方向Ｖへと動く一方で、作動エレメント３４が巻取方向Ｖの反対方向に回転した場合には係合手段３４５，３５５が互いの上をスライドすることができ且つこれによって作動エレメント３４が巻回しエレメント３５に対して巻取方向Ｖの反対方向へと相対回転することが可能になる係合とされる。
【００６２】
ファスナー部位２，３を互いに切り離すには、図４Ａ〜図４Fに示すように、第２のファスナー部位３が単純に第１のファスナー部位２から閉方向Ｘの反対方向である切離し方向Ｌに引き抜かれ得る。これにより、歯部２５，３５１が互いに脱係合して、ファスナー部位２，３が互いに分離される。
この場合、磁石エレメント２３，３３間の磁気吸引が消えるので、係合手段３４５，３５５が互いに脱係合し、これによって巻回しエレメント３５が作動エレメント３４から独立して回転されることが可能となる。これにより、例えば、ファスナー装置１が開いた状態で、巻回しエレメント３５に配された引張エレメント４を自由に巻き出すということが可能になる。
【００６３】
留め装置１の開動作時の作動エレメント３４の係合手段３４５と巻回しエレメント３５の係合手段３５５との脱係合は、例えば、重力の働きによるものとされ得る。しかし、有利な一実施形態では、図５Ａ〜図５Ｃに示すように、ベース面３４０の内側に設けられた（図示の例的実施形態では、一体的に形成されたばね突部により形成されている）ばねエレメント３４３により、作動エレメント３４が巻回しエレメント３５に対して解除位置（係合手段３４５と係合手段３５５とが互いに係合していない位置）の方向へとばね予圧されている。これにより、ファスナー装置１の開動作時に作動エレメント３４と巻回しエレメント３５とが自動的に且つ高い信頼性で互いに脱係合するので、ファスナー装置１が開いた状態で巻回しエレメント３５が作動エレメント３４から独立して回転されることができるようになる。
【００６４】
図６Ａ及び図６Ｂないし図１０Ａ〜図１０Ｄには、他の例的実施形態が示されている。同実施形態は、第１のファスナー部位２と巻回しエレメント３５との間で動作する歯部２５，３５１、および第２のファスナー部位３の巻回しエレメント３５と作動エレメント３４との間で動作する係合手段３４５，３５５に関して、図１Ａ及び図１Ｂないし図５Ａ〜図５Ｆに基づいて上述した例的実施形態と同じ設計である。この点に関しては、上記の説明を参照されたい。
図６Ａ及び図６Ｂないし図１０Ａ〜図１０Ｄの例的実施形態は、上記の構成に加えて、第２のファスナー部位３に設けられたデテント手段３６を備えている。デテント手段３６は、第２のファスナー部位３が第１のファスナー部位２へとデテント作用（したがって、形状係合作用）により閉方向Ｘに抗して保持されるように、ファスナー部位２，３を前記閉位置にて互いに拘束する役割を果たす。
【００６５】
この種のデテント手段３６の使用により、磁気を利用しない形態のファスナー装置１が可能となる。つまり、ファスナー装置１において磁石エレメントを省くということが基本的に可能となる。しかしながら、デテント手段３６に加えて、図１Ａ及び図１Ｂないし図５Ａ〜図５Ｆの例的実施形態に存在するような磁石エレメントをさらに使用するということも考えられ得て且つ可能である。
【００６６】
デテント手段３６は、係合エレメント３８を有している。図７Ｄと併せて図６Ｂから見て取れるように、係合エレメント３８は、作動エレメント３４に取り付けられたカバーエレメント３２内の収容空間３２２内において環状カラー３８１を有して軸方向に移動可能に収容されている。係合エレメント３８は、渦巻きばね形態のばねエレメント３８４により、作動エレメント３４のベース面３４０に対してばね予圧されている。環状カラー３８１から延びる円筒状の本体部３８０には、複数の収容開口部３８２が、互いに直径方向反対側に形成されている。当該収容開口部には、ボール形態のデテントエレメント３８５が収容されている。デテントエレメント３８５は、ファスナー装置１の前記閉位置（図７Ａ〜図７Ｄ）にて、第１のファスナー部位２の円筒部２０１の開口２００の内側において周回状に延びる環状溝の形態のデテント凹部２０２へとデテント作用を伴って係合する役割を果たす。これにより、図７Ｄから見て取れるように、前記閉位置にて円筒部２０１の開口２００内に係合する係合エレメント３８と当該円筒部２０１との間にデテント係合が生じ、これによってファスナー部位２，３が互いに拘束される。
【００６７】
係合エレメント３８の中央開口３８３内では、操作エレメント３７が閉方向Ｘに沿って軸方向に案内される。操作エレメント３７は、円筒状の構造を有しており、前記閉位置では、有底孔の形態の開口３７３内に位置したばねエレメント３７４によって第１のファスナー部位２に弾性的に支持される。操作エレメント３７は、さらに、当該操作エレメント
３７が係合エレメント３８に対して作動されていないときには、端側の環状カラー３７１によって係合エレメント３８に対して移動制限するかたちで当接している。
【００６８】
図７Ｄと併せて図６Ａ及び図６Ｂから見て取れるように、操作エレメント３７は、当該操作エレメント３７の外周面に、直径方向反対側に位置した２つのロック解除開口部３７２を有している。前記閉位置では、当該ロック解除開口部３７２が図７Ｄから見て取れるようにデテントエレメント３８５と軸方向に異なる高さに位置することで、デテントエレメント３８５が操作エレメント３７の円筒状の本体部３７０の外周面と当接する。これにより、デテントエレメント３８５は、円筒部２０１の内側におけるデテント凹部２０２とのデテント係合状態に保持される。
【００６９】
前記閉位置（図７Ａ〜図７Ｄ）では、作動エレメント３４がばねエレメント３８４のばね予圧によって第１のファスナー部位２の方向へと押圧され、ベース３４０が巻回しエレメント３５の環状カラー３５４に接触することにより、図７Ｄから見て取れるように巻回しエレメント３５が第１のファスナー部位２の歯部２５との係合状態に押し込まれる。このようにして、前記閉位置では、作動エレメント３４の係合手段３４５と巻回しエレメント３５の係合手段３５５との現存する係合に加えて巻回しエレメント３５と第１のファスナー部位２とが歯部係合することにより、第２のファスナー部位３がデテント作用を伴って第１のファスナー部位２へと保持される。
【００７０】
ファスナー装置１の前記閉位置において作動エレメント３４が（したがって、係合手段３４５，３５５の係合により当該作動エレメント３４と一緒に巻回しエレメント３５も）巻取方向Ｖへと回転した場合には、歯部２５，３５１が互いの上をスライドすることで、図８Ａ〜図８Ｄに示すように巻回しエレメント３５の（小規模の）軸方向移動［これにより、作動エレメント３４の（小規模の）軸方向移動］が生じる。このとき、デテント手段３６の係合エレメント３８がデテントエレメント３８５によって第１のファスナー部位２の円筒部２０１に対して軸方向に固定された状態に保持されているため、図８Ｄに示すようにばねエレメント３８４のばね予圧に抗して巻回しエレメント３５の及び作動エレメント３４の軸方向変位が起こる。
この状態から作動エレメント３４及び巻回しエレメント３５を回転させると、歯部２５，３５１がばねエレメント３８４のばね予圧により互いに再係合して環状カラー３５２が第１のファスナー部位２の本体部２０に当接する（図７Ａ〜図７Ｄの位置に相当）。
【００７１】
ファスナー部位２，３を互いに離すには、ユーザが、図９Ａ〜図９Ｄに示すように操作エレメント３７を係合エレメント３８へと作動方向Ｄに押し得る。これにより、操作エレメント３７の本体部３７０が係合エレメント３８内で閉方向Ｘに沿って軸方向に調節されるので、ロック解除開口部３７２がデテントエレメント３８５と同じ軸方向高さに移動し、これによってデテントエレメント３８５が図９Ｄに示すように径方向内方に変位し得る。これにより、係合エレメント３８と円筒部２０１との間のロックデテント係合が解消されるので、ファスナー部位２，３が閉方向Ｘの反対方向に（すなわち、切離し方向Ｌに）互いに取り外されることが可能となる。                    
【００７２】
図１０Ａ〜図１０Ｄには、開位置でのファスナー装置１が示されている。当該開位置では、ファスナー部位２，３が互いに分離されて、重力の働き又はばね予圧によって作動エレメント３４の係合手段３４５と巻回しエレメント３５の係合手段３５５とが脱係合するので、巻回しエレメント３５が作動エレメント３４から独立して回転されることが可能となる。これにより、任意で、巻回しエレメント３５に配された引張エレメントを巻き出すということができるようになる。
【００７３】
ファスナー装置１を再び閉じるには、第２のファスナー部位３が第１のファスナー部位２へと再び閉方向Ｘに取り付けられ得て、これにより係合エレメント３８が円筒部２０１の開口２００に係合すると共にデテントエレメント３８５が円筒部２０１内の周回状溝の形態のデテント凹部２０２にデテント作用を伴って係合する。これにより、歯部２５，３５１も互いに歯部係合状態となり、ファスナー装置１が図７Ａ〜図７Ｄに示す前記閉位置を取るようになる。
【００７４】
図１１Ａ〜図１１Ｅには、図６Ａ及び図６Ｂないし図１０Ａ〜図１０Ｄの例的実施形態に変更を施した２つの例的実施形態が示されており、一方は磁気を利用した設計であり、他方は磁気を利用しない設計である。
これら２つの例的実施形態は、外側をみると類似している（図１１Ａ〜図１１Ｃを参照のこと）が、図１１Ｄ及び図１１Ｅから見て取れるようにそれらの内部構造は（若干）異なっている。
【００７５】
いずれの例的実施形態においても、デテント手段３６は、閉方向Ｘを横切るようにして延びる連続孔３８７が形成された、係合エレメント３８を有している。連続孔３８７には、２つの球状のデテントエレメント３８５が配置されており、かつ、当該デテントエレメント３８５は、ばねエレメント３８６によって互いに予圧されている。ファスナー部位２，３が互いに取り付けられると、図１１Ｄ及び図１１Ｅから見て取れるように、係合エレメント３８が円筒部２０１に係合すると共に、デテントエレメント３８５が円筒部２０１の開口２００の内側におけるデテント凹部２０２にデテント作用を伴って係合する。
【００７６】
このとき、前記閉位置でのこのデテント係合は、ばねエレメント３８６によるばね予圧によって維持される。このデテント係合を解除したい場合には、力を十分に加えて第２のファスナー部位３が第１のファスナー部位２から閉方向Ｘの反対方向に引き抜かれ得る。これにより、デテントエレメント３８５は、溝状のデテント凹部２０２の上縁部に乗り上げることで、自動的に径方向内方にオフセットし且つこれによって当該デテント凹部２０２から脱係合する。このように、ファスナー部位２，３間のデテント係合は、係合エレメント３８を分離作動させずとも解除することが可能である。
【００７７】
図１１Ｄの例的実施形態は純粋に機械的な形態である一方で、この変更例である図１１Ｅの例的実施形態は、図１１Ｅの断面図から見て取れるように磁石エレメント２３が第１のファスナー部位２の本体部２０に配置されて且つ磁石エレメント３３が係合エレメント３８の本体部３８０に配置されていることで、磁気を利用した形態となっている。これにより、ファスナー部位２，３は（さらに）磁気的に相互作用することになり、これによって当該ファスナー部位２，３の取付けが容易になる。
また、図１１Ｄ及び図１１Ｅの例的実施形態の機能は、既述した例的実施形態と同じなので、この点に関しては既述の内容を参照されたい。
【００７８】
これまでに述べた例的実施形態での第１のファスナー部位２及び第２のファスナー部位３における歯部手段２５，３５１は、前記閉位置にて当該ファスナー部位２，３間に（少なくとも一定の閾値トルクまでの荷重に耐えることのできる）形状係合保持を生じさせるうえで、基本的に全く別のものに設計されてもよい。
【００７９】
図１Ａ及び図１Ｂないし図５Ａ〜図５Ｃの例的実施形態における歯部手段２５，３５１には、前記閉位置にて巻取方向Ｖの反対方向への巻回しエレメント３５の動きがロックされるようにアンダーカット部が形成されている。しかしながら、これはあくまでも一例に過ぎず、図１２Ａ及び図１２Ｂないし図１６Ａ及び図１６Ｂに基づいて以下で述べるように基本的に別のものとして構成されてもよいことを理解されたい。
【００８０】
図１２Ａ及び図１２Ｂないし図１６Ａ及び図１６Ｂには、本明細書で説明するタイプのファスナー装置１に使用されることが可能な、異なる歯の幾何形状の歯部手段２５，３５１の各種実施形態が示されている。
つまり、図１２Ａ及び図１２Ｂの例的実施形態では、各々の歯部手段２５，３５１の歯が、乗り上げ斜面２５０の形態で閉方向Ｘに対して斜めに延びる歯面と、略垂直方向に延びる歯面２５１とを有しており、歯面２５１には、巻取方向Ｖに沿って突出する突出エレメント２５２が形成されている。巻取方向Ｖとは逆の荷重方向Ｂに荷重が働いた場合には、歯部手段２５の歯の突出エレメント２５２と歯部手段３５１の歯の突出エレメント２５２とが互いに係合することで、（巻取方向Ｖの反対方向である）当該荷重方向Ｂへの歯部手段２５，３５１の動きが阻止される。これにより、ファスナー装置１が当該ファスナー装置１の閉位置に位置しているときの巻回しエレメント３５は、第１のファスナー部位２に対して巻取方向Ｖの反対方向である荷重方向Ｂに回転されることができない。
【００８１】
図１２Ａ及び図１２Ｂの例的実施形態では、さらに、歯部手段３５１の各歯（又は少なくとも一部の歯）の突出エレメント２５２に、デテントラグ２５３が形成されている。当該デテントラグは、例えば、歯部手段２５の対応する歯の突出エレメント２５２における対応するデテント窪みにデテント作用を伴って係合することにより、荷重方向Ｂに荷重が働いた場合の歯部手段２５，３５１の歯同士のロック係合に追加ロックをすることができる。
【００８２】
図１３Ａ及び図１３Ｂの例的実施形態は、図１２Ａ及び図１２Ｂの例的実施形態と違ってデテントラグ２５３が歯部手段３５１の歯の突出エレメント２５２に設けられていないという点以外は、図１２Ａ及び図１２Ｂの例的実施形態と同じである。
【００８３】
図１４Ａ及び図１４Ｂの例的実施形態では、歯部手段２５，３５１が鋸歯状の歯部形態である。この場合の歯部手段２５，３５１の歯はそれぞれ、乗り上げ斜面２５０の形態の１つの歯面と、垂直方向に延びる１つの歯面２５１とを有している。巻取方向Ｖとは逆の荷重方向Ｂへの歯部手段２５，３５１の荷重負荷がロックされる。
【００８４】
図１５Ａ及び図１５Ｂに示す例的実施形態では、図１４Ａ及び図１４Ｂの例的実施形態に比べて、歯部手段２５，３５１の歯が歯面２５１においてアンダーカットされている。すなわち、歯部手段２５，３５１の歯が、閉方向Ｘに対して斜めに傾斜している。これは、図１Ａ及び図１Ｂないし図５Ａ〜図５Ｃの例的実施形態に相当する。歯部手段２５，３５１に巻取方向Ｖとは逆の荷重方向Ｂの荷重がかかった場合には、当該歯部手段２５，３５１が互いにロックされる。
【００８５】
図１２Ａ，図１２Ｂ、図１３Ａ、図１３Ｂ、図１５Ａ及び図１５Ｂの例的実施形態では、荷重方向Ｂに荷重が働いた場合に歯部手段２５，３５１の係合が自己増強する。これにより、ファスナー部位２，３が、荷重の作用によって閉方向Ｘに互いに引き寄せられる。さらに、突出エレメント２５２による形状係合により又は前記アンダーカット部により、ファスナー装置１は閉方向Ｘの反対方向への開動作についてもロックされる。具体的に述べると、純粋な回転接線方向に働かずむしろ閉方向Ｘの反対方向の成分を含んでいる荷重力についても、受け止めて散逸させることができる。
【００８６】
図１６Ａ及び図１６Ｂの例的実施形態では、歯部手段２５，３５１の歯が両側の歯面２５０，２５１で斜めに傾斜して乗上斜面を形成しており、歯部手段２５，３５１間で十分な力が働くと、当該歯部手段２５，３５１が軸方向に互いに変位しながら互いの上を巻取方向Ｖにも巻取方向Ｖの反対方向にもスライドすることができる。つまり、図１６Ａ及び図１６Ｂの例的実施形態では、歯部手段２５，３５１が互いに巻取方向Ｖにも巻取方向Ｖの反対方向にもロックされておらず、むしろ、歯部手段２５，３５１間に働くトルクが十分に高ければラチェットのようにして互いの上をスライドすることができる。
【００８７】
図１７Ａ〜図１７Ｄに示す例的な一実施形態では、歯部手段２５，３５１の歯が当該歯の背面で、円錐形歯車の場合のように巻取方向Ｖに対しても閉方向Ｘに対しても斜めに延びている。これにより、歯部手段２５，３５１の歯のうちの、巻取方向Ｖの反対方向に荷重が働いた場合に互いに係合して互いに支持し合う面積の大きさを増やすことができる。
【００８８】
図１８〜図５１には、これまでに述べたタイプの例的な一実施形態に従って構成され得るファスナー装置１の用途の、各種の例的実施形態が示されている。
図１８の例的実施形態では、ファスナー装置１が、靴５を閉じて締める役割を果たす。この目的のために、ファスナー部位３は、靴ひもの形態の引張エレメント４を締めるように靴５のベロ（Lasche）におけるファスナー部位２に取り付けられ得る。
図１９には、靴５の他の例的実施形態が示されている。同実施形態は、靴ひもの形態の引張エレメント４の巻き方が図１８の例的実施形態と異なる。
【００８９】
図１８及び図１９の例的実施形態では、靴ひもの形態の引張エレメント４の一方の端部がファスナー装置１のファスナー部位３に固定されており、作動エレメント３４を巻回しエレメント３５と一緒にファスナー部位２に対して回転させることで締めることができる。この場合、手動でファスナー部位３を引っ張ることで締めることも可能であり、そのときには靴ひもの形態の引張エレメント４を締めてからファスナー部位３をファスナー部位２に固定することになる。
【００９０】
図２０及び図２１の例的実施形態では、靴ひもの形態の引張エレメント４の２つの端部が、ファスナー装置１のファスナー部位３に連結されている（この場合の引張エレメント４はループとして巻かれる）。この場合、ファスナー部位３をファスナー部位２に対して回転させることで、靴ひもの形態の引張エレメント４を２つの端部と一緒に巻き取り且つこれによって締めることができる。図２１に示すように、手６で引張エレメント４を引っ張ることにより当該引張エレメント４を手動で締めてから、ファスナー部位３をファスナー部位２に配置するということも可能である。
【００９１】
図２２の例的実施形態では、ここでも、靴ひもの形態の引張エレメント４の２つの端部がファスナー装置１のファスナー部位３に連結されている。よって、ファスナー部位３をファスナー部位２に対して回転させることにより当該２つの端部を巻き取ることで、靴５を閉じて締めることができる。この場合の靴ひも形態の引張エレメント４は、締付けエレメント５０に引き回されるものとされる。このようにして、引張エレメント４をファスナー部位３の巻回しエレメント３５に巻き付けることによって靴５を締めることができる。
【００９２】
図２３には、他の例的実施形態が示されている。同実施形態では、引張エレメント４が締付けエレメント５０に引き回されるものとされ、かつ、当該引張エレメント４の一方の端部がファスナー装置１のファスナー部位３に設置されていることで、ファスナー装置１によって当該引張エレメント４を締めることができる。
【００９３】
図２４の例的実施形態では、靴ひも形態の引張エレメント４が靴５のソール５１に（も）引き回されるものとされ、かつ、当該引張エレメント４の一方の端部がファスナー装置１のファスナー部位３に連結されている。これにより、ファスナー装置１によって靴５を閉じて締めることができる。
【００９４】
図２５に示す例的実施形態でのファスナー装置１は、バンド形態の引張エレメント４によってズボンの足部５２を靴５と一緒に締め付ける役割を果たす。この目的のために、引張エレメント４は、ズボンの足部５２の周囲を延びており、ファスナー装置１によって靴５へと固定されることより、ファスナー部位３をファスナー部位２に対して回転させることでズボンの足部５２を靴５に対して締め付けるということが可能になる。
【００９５】
図２６には、他の例的実施形態が示されている。この例的実施形態においても、ズボンの足部５２におけるアイレットを通って延びる引張エレメント４をファスナー装置１により靴５に対して締め付けることができるため、ズボンの足部５２を靴に対して締め付けるということが可能になっている。
図２７の例的実施形態においても、ズボンの足部５２が靴に対して締め付けられることが可能とされている。この場合の引張エレメント４は、靴５のソール５１の回りにバンドの形態で延びるものとされ、ファスナー装置１によって靴５に締め付けられることができる。
【００９６】
図２８及び図２９の例的実施形態でのファスナー装置１は、例えば、ベスト、ジャケット等の衣服５を閉じて締める役割を果たす。バンド又はコード形態の引張エレメント４が、留めポイント５３で衣服５に固定されており、かつ、当該衣服５の開きスロットの両側における締付けエレメント５０に引き回されることで、図２９に示すように当該衣服５を閉じることができる。そして、ファスナー部位３をファスナー部位２に配置し、ファスナー部位３をファスナー部位２に対して回転させることで、衣服５を締めることができる。
【００９７】
図３０の例的実施形態においても、ファスナー装置１は衣服５を閉じる役割を果たす。この場合、２つのファスナー装置１が、２つの引張エレメント４を締めるために設けられている。各々の引張エレメント４は、衣服５の開きスロットの片側における留めポイント５３でそれぞれ固定されており、各自のファスナー部位３が衣服５の前記開きスロットのもう片方の側におけるファスナー装置１の対応するファスナー部位２に配置されることで、これらの引張エレメント４を締めることができる。
【００９８】
図３１及び図３２の例的実施形態でのファスナー装置１は、足首用バンド形態の医療用補助具５を足７に対して閉じて締める役割を果たす。当該足首用バンドの１つの端部に連結されたファスナー部位３を当該足首用バンドの別の端部に連結されたファスナー部位２に配置し、かつ、当該足首用バンド上に延びる引張エレメント４を締めることで、当該足首用バンドを閉じて締めることができる。
【００９９】
図３３及び図３４には、足首用バンドの形態の医療補助具５の他の例的実施形態が示されている。この場合、１つの端部がファスナー部位２に連結されて別の端部がファスナー部位３に連結されている引張エレメント４が、方向変換手段（Umlenkung）５４に引き回されることができる。これにより、ファスナー部位３をファスナー部位２に取り付けることで、引張エレメント４のループが形成される。当該ループは、ファスナー部位３をファスナー部位２に対して回転させることで締められて、これにより前記足首用バンドを閉じて締めることができる。
【０１００】
図３５には、ネックブレース形態の装具の形態の医療用補助具５の例的実施形態が示されている。この場合のファスナー装置１は、閉じて締める役割を果たす。ファスナー部位３に連結された引張エレメント４は、留めポイント５３を始点として締付けフック５０に引き回されて、かつ、ファスナー部位３をファスナー部位２に対して回転させることで締めることができる。
【０１０１】
図３６及び図３７には、例えば自転車用ヘルメット等のヘルメット５の例的実施形態が示されている。この場合のファスナー装置１は、ベルト５５を閉じて締める役割を果たす。引張エレメント４は、ベルト５５の一構成部品であり、ファスナー部位３（具体的に述べると、ファスナー部位３の巻回しエレメント３５）に巻き付けられることでベルト５５を締めることができる。
【０１０２】
図３８及び図３９の例的実施形態でのファスナー装置１は、例えば自転車用ヘルメット等のヘルメット５の顎ストラップ５６を締める役割を果たす。この場合のファスナー装置１のファスナー部位３は、ファスナー部位２に配置されて当該ファスナー部位２に対して回転されることによってストラップ５６を締め得る。
【０１０３】
図４０の例的実施形態でのファスナー装置１は、照明の形態の物品５の高さを調節する役割を果たす。この場合の引張エレメント４は、前記照明を吊るす役割を果たす。ファスナー装置１のファスナー部位３を回転させることにより、引張エレメント４の長さが変更され得て、これにより前記照明の高さを調節することができる。
【０１０４】
図４１の例的実施形態でのファスナー装置１は、絵や写真の形態の物品５を掛ける役割を果たす。ファスナー部位３を回転させることにより、引張エレメント４の長さが変更され得て、これにより前記絵や写真の掛かり方を調整することができる。
【０１０５】
図４２〜図４４に示す例的実施形態でのファスナー装置１は、照明５の形態の物品を電気的に接続する役割を果たす。この目的のために、ファスナー部位２はプラグの形態とされる。ファスナー部位３が当該プラグの形態のファスナー部位２に対して回転されることにより、引張エレメント４を形成する電気ケーブルのうちの自由に延びている長さを変更することができる。
【０１０６】
図４５の例的実施形態でのファスナー装置１は、ローラブラインド形態の物品５を張る役割を果たす。ファスナー部位３は、引張エレメント４を介して前記ローラブラインドに接続されている。ファスナー部位３が例えばフレーム等に設置されているファスナー部位２へと配置されて且つ回転されることで、引張エレメント４が巻き取られて且つこれによって前記ローラブラインドを調節することができる。
【０１０７】
図４６の例的実施形態では、図４５の例的実施形態とは違って、引張エレメント４の２つの端部がファスナー部位３に連結されている。これにより、引張エレメント４の当該２つの端部は、ファスナー部位３の回転によって同時に当該ファスナー部位３の巻回しエレメント３５に巻き取られることができる。
【０１０８】
図４７に示す例的な一実施形態でのファスナー装置１は、ストラップ形態の引張エレメント４を荷物に対して締め付ける役割を果たす。
図４８に示す例的な一実施形態でのファスナー装置１は、リュックサックの形態の荷物上のバンド又はコードの形態の引張エレメント４を締めることにより、物体を当該荷物に固定する役割を果たす。
【０１０９】
図４９に示す例的な一実施形態でのファスナー装置１は、例えば携帯電話等の物体５を自転車（特には、自転車のハンドルバー）に固定する役割を果たす。この場合の引張エレメント４は、物体５に巻き付けられて、かつ、その一部がファスナー部位３の巻回しエレメント３５に巻き取られることによって締めることができる。
図５０には、例えば携帯電話等の物体５を自転車に固定するための、引張エレメント４の巻き方が異なる他の例的実施形態が示されている。
【０１１０】
図５１に示す例的な一実施形態でのファスナー装置１は、乗り物の荷室内に例えば荷物等の物体を固定する役割を果たす。このときの引張エレメント４は、前記荷物に引き回されることによって当該荷物を、前記荷室の床上の定位置に保持する。ファスナー装置１によって引張エレメント４は、前記荷物を固定するように締められることができる。
【０１１１】
図５２〜図５６には、ファスナー装置１の例的なさらなる実施形態が示されている。この場合のファスナー部位２，３は、閉方向Ｘに沿って互いに取り付けられることが可能で且つ閉位置にて互いに保持される。
図５２〜図５６の例的実施形態では、引張エレメント４が、ファスナー部位３のスリーブ形態の巻回しエレメント３５に巻き付けられることが可能なストラップの形態とされる。ファスナー部位３が、例えばバックル等を含むファスナー部位２に取り付けられ得る。そして、ファスナー装置１により、引張エレメント４の端部同士を互いに連結して且つ互いに締めることができる。
ファスナー部位３は、ハンドレバーが一体的に形成された作動エレメント３４を含む。当該ハンドレバーは、係合手段３４５により、巻回しエレメント３５の係合手段３５５との係合状態にされ得る。これにより、巻回しエレメント３５は、作動エレメント３４を用いて巻取方向Ｖへとファスナー部位２に対して回転されることが可能となる。
特に図５６の断面図から見て取れるように、作動エレメント３４は、係合開口３４７を持つペグ３４６を有している。作動エレメント３４は係合開口３４７により、ファスナー部位２の本体部２０における円筒部２０１上へと閉方向Ｘに取り付けられて、これによってファスナー部位２，３を互いに連結することができる。
【０１１２】
ファスナー部位２，３が互いに分離しているときには、例えば作動エレメント３４と巻回しエレメント３５との間のばね予圧等により、係合手段３４５，３５５は互いに係合していない。これにより、巻回しエレメント３５は、作動エレメント３４に対して自由に回転することが可能となり、これによって例えば、引張エレメント４が巻回しエレメント３５から巻き出されることができる。閉じるには、作動エレメント３４のペグ３４６における係合開口３４７がファスナー部位２の円筒部２０１と係合するようにファスナー部位３がファスナー部位２に取り付けられて、巻回しエレメント３５がファスナー部位２の本体部２０に支持される。円筒部２０１における磁石エレメント２３及び作動エレメント３４のペグ３４６における磁石エレメント３３の磁気吸引により（図５６を参照のこと）、作動エレメント３４が巻回しエレメント３５に引き寄せられる。これにより、係合手段３４５，３５５が形状係合によって互いに係合する。このようにして、作動エレメント３４と巻回しエレメント３５との間に動作可能な連結が生じる。これにより、ファスナー部位２，３が互いに連結されたときには、作動エレメント３４と巻回しエレメント３５とが一緒に回転されることが可能になるので、引張エレメント４を巻回しエレメント３５に巻き付けて且つこれによって当該引張エレメント４を締めることができる。
【０１１３】
巻回しエレメント３５は、本体部２０へと面する端部に、鋸歯状の歯部の形態の歯部手段３５１を有している。歯部手段３５１は、ファスナー部位２，３が互いに連結されると本体部２０における歯部手段２５に係合する。歯部手段２５，３５１の係合には、引張エレメント４を巻回しエレメント３５上で締めるようにファスナー部位２，３を巻取方向Ｖへと互いに回転させることができる一方で、巻取方向Ｖの反対方向には回転させることができないという効果がある。
ファスナー装置１を切り離すには、ファスナー部位２，３が、閉方向Ｘの反対方向に互いに引き離される。これにより、当該ファスナー部位２，３を互いに分離することができる。
【０１１４】
図５７Ａ及び図５７Ｂには、ファスナー部位２，３が分離している場合のファスナー装置１（図５７Ａ）、および閉じられた場合のファスナー装置１（図５７Ｂ）が示されている。ファスナー装置１は、例えば、腰ベルト形態のストラップを締める役割を果たし得る。
【０１１５】
図５８には、上記の様式と同様の様式によりファスナー部位２，３が閉方向Ｘに互いに取り付けられることが可能な、ファスナー装置１のさらなる例的実施形態が示されている。
図５８の例的実施形態では、ファスナー部位２に、例えばかさ歯車機構、ウォーム歯車機構等の形態であり得る歯車機構２６が設けられている。歯車機構２６は、ファスナー部位３をファスナー部位２に対して回転させることにより、歯部手段２５（当該歯部手段２５は、例えば図５２から見て取れるように、ファスナー部位２，３が互いに連結しているときにファスナー部位３の歯部手段３５１と係合している）を介して引張エレメント４を締める役割を果たす。このようにして、図５８の例的実施形態では、ファスナー部位２に設けられた例えば手動で作動され得る歯車機構により、ファスナー部位２，３間の相対回転が実現される。
【０１１６】
図５９ないし図６２Ａ及び図６２Ｂには、まさにこのような歯車機構２６が巻回しエレメント３５を締めるために実現された、さらなる例的実施形態が示されている。
図５９ないし図６２Ａ及び図６２Ｂの例的実施形態では、歯車機構２６が、締付け歯車機構として構成されている。この場合、締付けレバー２６０が、ファスナー部位２の本体部２０上でピボット軸２６５を中心として回動可能に取り付けられており、かつ、ばねエレメント２６１によって（図６２Ａ及び図６２Ｂに示す）基本位置へと本体部２０に対して予圧されている。
【０１１７】
同例的実施形態では、ファスナー部位３が、本体部２０の円筒部２０１へと巻回しエレメント３５と共に取り付けられ得て、かつ、連結位置では、これまでに述べたものと同じく歯部手段３５１によって本体部２０の対応する歯部手段２５と係合している。巻回しエレメント３５には、当該巻回しエレメント３５の周囲に延在して歯車機構２６と相互作用する役割を果たす歯部形態の締付け係合手段３５６が形成されている。
歯車機構２６の締付けレバー２６０には、係合レバー２６２が、ピボット軸２６３を中心として回動可能に配置されている。当該係合レバーは、巻回しエレメント３５の締付け係合手段３５６に対して係合する役割を果たす。
【０１１８】
ファスナー部位２，３を互いに取り付けるには、図６１Ａ及び図６１Ｂに示すように締付けレバー２６０を前記基本位置からピボット方向Ｐ１へと変位させることで、係合レバー２６２を、ファスナー部位２，３が互いに連結されたときに巻回しエレメント３５が取ることになる領域の外部へと動かし得る。これにより、ファスナー部位２，３は、歯車機構２６に邪魔されることなく簡単に互いに取り付けられることができる。
【０１１９】
締付けレバー２６０が再び解放されると、歯車機構２６は、係合レバー２６２が締付け係合手段２５６と係合する図６２Ａ及び図６２Ｂに示す前記基本位置へとその締付けレバー２６０と共に移行する。
そして、締付けレバー２６０をピボット方向Ｐ２へと変位させると、係合レバー２６２も一緒に動かされて巻回しエレメント３５を巻取方向Ｖへと回転させる。これにより、引張エレメント４が巻回しエレメント３５に巻き付けられる。このようにして、引張エレメント４が締められる。
ここで、この締付けは、段階的に行われる。ばねエレメント２６１及び当該ばねエレメント２６１で与えられるばね予圧により、締付けレバー２６０は作動後自動的に前記基本位置へとリセットされる。係合レバー２６２は、ばねエレメント２６４（係合レバー２６２は、当該ばねエレメント２６４によって締付けレバー２６０に対して弾性的に予圧されている）を弾性的に変位させながら締付け係合手段３５６の上をスライドする。このようにして、引張エレメント４の締付けは、締付けレバー２６０を繰返し作動させることによって段階的に行われる。
【０１２０】
ばねエレメント２６４により、フリーホイールも提供される。巻回しエレメント３５は、手で巻取方向Ｖへと回転されることも可能であり得る。このとき、係合レバー２６２は、ばねエレメント２６４を弾性的に変位させながら巻回しエレメント３５の締付け係合手段３５６の上をスライドする。
【０１２１】
本発明の基礎をなす思想は、これまで強調してきた例的実施形態に限定されず、むしろ、原則として根本的に異なる形態により実現されるものとされてもよい。
本明細書で説明するタイプのファスナー装置は、極めて多種多様な用途に使用され得る。説明するタイプのファスナー装置の場合、締付け装置が、互いに分離可能なファスナー部位へと組み合わされている。これにより、物品同士を互いに締めると同時に当該物品同士を連結するということが可能になる。
【符号の説明】
【０１２２】
１            ファスナー装置
２            ファスナー部位
２０          本体部
２００        開口
２０１        円筒部
２０２        デテント凹部（デテント溝）
２３          磁石エレメント
２５          歯部手段
２５０        衝突斜面
２５１        歯面
２５２        突出エレメント
２５３        デテントラグ
２６          歯車機構手段
２６０        締付けレバー
２６１        ばねエレメント
２６２        係合レバー
２６３        ピボット軸
２６４        ばねエレメント
２６５        ピボット軸
３            ファスナー部位
３２          カバーエレメント
３２０        本体部
３２１        開口
３２２        収容空間
３３          磁石エレメント
３４          作動エレメント
３４０        ベース面
３４１        円筒突部
３４２        保持エレメント
３４３        ばねエレメント
３４４        側壁
３４５        係合手段
３４６        ペグ
３４７        開口
３５          巻回しエレメント
３５０        開口
３５１        歯部手段
３５２        環状カラー
３５３        溝
３５４        環状カラー
３５５        係合手段
３５６        締付け係合手段
３６          デテント手段
３７          操作エレメント
３７０        本体部
３７１        環状カラー
３７２        ロック解除開口部
３７３        開口
３７４        ばねエレメント
３８          係合エレメント
３８０        本体部
３８１        環状カラー
３８２        収容開口部
３８３        開口
３８４        ばねエレメント
３８５        デテントエレメント
３８６        ばねエレメント
３８７        開口
４            引張エレメント
５            物品
５０          締付けフック
５１          ソール
５２          ズボンの足部
５３          固定ポイント
５４          方向変換手段
５５          ベルト
５６          ストラップ
６            手
７            足
Ｂ            荷重方向
Ｄ            作動方向
Ｌ            切離し方向
Ｐ１，Ｐ２    ピボット方向
Ｖ            巻取方向
Ｘ            閉方向
【図１Ａ】
2021502832.tif 000003
【図１Ｂ】
2021502832.tif 000004
【図２Ａ】
2021502832.tif 000005
【図２Ｂ】
2021502832.tif 000006
【図３Ａ】
2021502832.tif 000007
【図３Ｂ】
2021502832.tif 000008
【図３Ｃ】
2021502832.tif 000009
【図３Ｄ】
2021502832.tif 000010
【図３Ｅ】
2021502832.tif 000011
【図３Ｆ】
2021502832.tif 000012
【図４Ａ】
2021502832.tif 000013
【図４Ｂ】
2021502832.tif 000014
【図４Ｃ】
2021502832.tif 000015
【図４Ｄ】
2021502832.tif 000016
【図４Ｅ】
2021502832.tif 000017
【図４Ｆ】
2021502832.tif 000018
【図５Ａ】
2021502832.tif 000019
【図５Ｂ】
2021502832.tif 000020
【図５Ｃ】
2021502832.tif 000021
【図６Ａ】
2021502832.tif 000022
【図６Ｂ】
2021502832.tif 000023
【図７Ａ】
2021502832.tif 000024
【図７Ｂ】
2021502832.tif 000025
【図７Ｃ】
2021502832.tif 000026
【図７Ｄ】
2021502832.tif 000027
【図８Ａ】
2021502832.tif 000028
【図８Ｂ】
2021502832.tif 000029
【図８Ｃ】
2021502832.tif 000030
【図８Ｄ】
2021502832.tif 000031
【図９Ａ】
2021502832.tif 000032
【図９Ｂ】
2021502832.tif 000033
【図９Ｃ】
2021502832.tif 000034
【図９Ｄ】
2021502832.tif 000035
【図１０Ａ】
2021502832.tif 000036
【図１０Ｂ】
2021502832.tif 000037
【図１０Ｃ】
2021502832.tif 000038
【図１０Ｄ】
2021502832.tif 000039
【図１１Ａ】
2021502832.tif 000040
【図１１Ｂ】
2021502832.tif 000041
【図１１Ｃ】
2021502832.tif 000042
【図１１Ｄ】
2021502832.tif 000043
【図１１Ｅ】
2021502832.tif 000044
【図１２Ａ】
2021502832.tif 000045
【図１２Ｂ】
2021502832.tif 000046
【図１３Ａ】
2021502832.tif 000047
【図１３Ｂ】
2021502832.tif 000048
【図１４Ａ】
2021502832.tif 000049
【図１４Ｂ】
2021502832.tif 000050
【図１５Ａ】
2021502832.tif 000051
【図１５Ｂ】
2021502832.tif 000052
【図１６Ａ】
2021502832.tif 000053
【図１６Ｂ】
2021502832.tif 000054
【図１７Ａ】
2021502832.tif 000055
【図１７Ｂ】
2021502832.tif 000056
【図１７Ｃ】
2021502832.tif 000057
【図１７Ｄ】
2021502832.tif 000058
【図１８】
2021502832.tif 000059
【図１９】
2021502832.tif 000060
【図２０】
2021502832.tif 000061
【図２１】
2021502832.tif 000062
【図２２】
2021502832.tif 000063
【図２３】
2021502832.tif 000064
【図２４】
2021502832.tif 000065
【図２５】
2021502832.tif 000066
【図２６】
2021502832.tif 000067
【図２７】
2021502832.tif 000068
【図２８】
2021502832.tif 000069
【図２９】
2021502832.tif 000070
【図３０】
2021502832.tif 000071
【図３１】
2021502832.tif 000072
【図３２】
2021502832.tif 000073
【図３３】
2021502832.tif 000074
【図３４】
2021502832.tif 000075
【図３５】
2021502832.tif 000076
【図３６】
2021502832.tif 000077
【図３７】
2021502832.tif 000078
【図３８】
2021502832.tif 000079
【図３９】
2021502832.tif 000080
【図４０】
2021502832.tif 000081
【図４１】
2021502832.tif 000082
【図４２】
2021502832.tif 000083
【図４３】
2021502832.tif 000084
【図４４】
2021502832.tif 000085
【図４５】
2021502832.tif 000086
【図４６】
2021502832.tif 000087
【図４７】
2021502832.tif 000088
【図４８】
2021502832.tif 000089
【図４９】
2021502832.tif 000090
【図５０】
2021502832.tif 000091
【図５１】
2021502832.tif 000092
【図５２】
2021502832.tif 000093
【図５３】
2021502832.tif 000094
【図５４】
2021502832.tif 000095
【図５５】
2021502832.tif 000096
【図５６】
2021502832.tif 000097
【図５７Ａ】
2021502832.tif 000098
【図５７Ｂ】
2021502832.tif 000099
【図５８】
2021502832.tif 000100
【図５９】
2021502832.tif 000101
【図６０】
2021502832.tif 000102
【図６１Ａ】
2021502832.tif 000103
【図６１Ｂ】
2021502832.tif 000104
【図６２Ａ】
2021502832.tif 000105
【図６２Ｂ】
2021502832.tif 000106
【国際調査報告】
2021502832.tif 000107
2021502832.tif 000108
2021502832.tif 000109
2021502832.tif 000110